(57)【要約】【課題】露光用の光学系ユニットを冷却する冷却能力を高めた画像形成装置を提供する。【解決手段】画像形成装置１Ａは、露光装置と取付台３６とを備える。露光装置は、感光体ドラムに光を照射して静電潜像を形成する。取付台３６は、露光装置が取り付けられる。取付台３６は、載置面５２１と第１凹部５３と第２凹部５４とを有する。載置面５２１は、露光装置が載置される。第１凹部５３及び第２凹部５４は、載置面５２１に形成され、風路を構成する。第１凹部５３は、露光装置の下面の下側を通り、載置面５２１の長手方向Ｈ１に沿って形成され、第２凹部５４は、露光装置の下面の下側を通り、載置面５２１の短手方向Ｈ３に沿って形成されて第１凹部５３と交差する。【選択図】図３
2017009695.tif 000002
【特許請求の範囲】
【請求項１】
像担持体に光を照射して静電潜像を形成する光学系ユニットと、
前記光学系ユニットが取り付けられる取付台と、
を備え、
前記取付台は、
前記光学系ユニットが載置される載置面と、
前記載置面に形成され、風路を構成する第１凹部及び第２凹部と、
を有し、
前記第１凹部は、前記光学系ユニットの下面の下側を通り、第１方向に沿って形成され、
前記第２凹部は、前記光学系ユニットの下面の下側を通り、前記第１方向と異なる方向に沿って形成されて前記第１凹部と交差する、画像形成装置。
【請求項２】
前記光学系ユニットは、光源と、前記光源が発した光を反射する回転多面鏡と、前記回転多面鏡を回転駆動する電動機とを有し、
前記第１凹部及び第２凹部のうちの一方は、前記電動機の下側を通る、請求項１に記載の画像形成装置。
【請求項３】
熱伝導性を有するシール材を更に備え、
前記シール材は、前記載置面と前記光学系ユニットの下面との間に挟まれる、請求項１又は請求項２に記載の画像形成装置。
【請求項４】
前記光学系ユニットは、
前記光学系ユニットの下面に立設された複数のリブ壁と、
可撓性を有するシート材と、
を備え、
前記シート材の両端部は、前記複数のリブ壁のうちの隣合う２つのリブ壁の各々の対向側面に取り付けられ、前記シート材の中央部は、垂れ下がって前記載置面に接触する、請求項１又は請求項２に記載の画像形成装置。
【請求項５】
前記第２凹部の底面は、前記第１凹部の底面と異なる高さに位置する、請求項１〜請求項４の何れかの１項に記載の画像形成装置。
【発明の詳細な説明】
【技術分野】
【０００１】
本発明は、画像形成装置に関する。
【背景技術】
【０００２】
画像形成装置は、例えば、露光装置（露光用の光学系ユニット）、現像装置、転写装置、及び、定着装置を備える。露光装置は、感光体ドラムの表面に光を照射して前記表面に静電潜像を形成する。現像装置は、感光体ドラムに形成された静電潜像上にトナーを散布して、当該静電潜像をトナー像として現像する。転写装置は、静電気を利用してトナー像を用紙に転写する。定着装置は、熱圧着によってトナー像を用紙に定着させる。このように、用紙に画像が形成される。
【０００３】
このような画像形成装置では、露光装置の光照射精度は、定着装置の熱圧着で発生する熱によって影響される。この問題点を解決する技術として、特許文献１の技術が知られている。
【０００４】
特許文献１の技術では、送風器の冷却風によって露光装置を冷却する。この結果、露光装置の光照射精度が、定着装置の熱圧着で発生する熱によって影響されることが抑制される。
【先行技術文献】
【特許文献】
【０００５】
【特許文献１】特開２０００−２３５２８７号
【発明の概要】
【発明が解決しようとする課題】
【０００６】
しかしながら、特許文献１の技術では、冷却風が一方向から流れるため、冷却効果が低く、露光装置を十分に冷却できない。
【０００７】
本発明は上記課題に鑑みてなされたものであり、その目的は、露光用の光学系ユニットを冷却する冷却能力を高めた画像形成装置を提供することにある。
【課題を解決するための手段】
【０００８】
本発明に係る画像形成装置は、光学系ユニットと、取付台と、を備える。前記光学系ユニットは、像担持体に光を照射して静電潜像を形成する。前記取付台は、前記光学系ユニットが取り付けられる。前記取付台は、載置面と、第１凹部及び第２凹部と、を有する。前記載置面は、前記光学系ユニットが載置される。前記第１凹部及び第２凹部は、前記載置面に形成され、風路を構成する。前記第１凹部は、前記光学系ユニットの下面の下側を通り、第１方向に沿って形成され、前記第２凹部は、前記光学系ユニットの下面の下側を通り、前記第１方向と異なる方向に沿って形成されて前記第１凹部と交差する。
【発明の効果】
【０００９】
本発明によれば、露光用光学系ユニットを冷却する冷却能力を高めることが可能である。
【図面の簡単な説明】
【００１０】
【図１】第１実施形態に係る画像形成装置の構成を示す断面図である。
【図２】第１実施形態の露光装置の構成を示す透視平面図である。
【図３】第１実施形態の取付台の斜視図である。
【図４】図３のIII-III線に沿った断面図である。
【図５】第１実施形態において露光装置が取り付けられた取付台を示す斜視図である。
【図６】図５のVI-VI線に沿った断面図である。
【図７】第２実施形態において露光装置と取付台との間の隙間を示す側面図である。
【図８】第２実施形態の取付台の斜視図である。
【図９】第３実施形態において露光装置と取付台との間の隙間を示す断面図である。
【図１０】第３実施形態のシート材を示す断面図である。
【発明を実施するための形態】
【００１１】
以下、本発明の実施形態について、図面を参照しながら説明する。なお、図中、同一又は相当部分については同一の参照符号を付して説明を繰り返さない。
【００１２】
＜第１実施形態＞
図１を参照して、本実施形態に係る画像形成装置について説明する。図１は、本実施形態に係る画像形成装置の構成を示す断面図である。
【００１３】
本実施形態に係る画像形成装置１Ａは、用紙に画像を形成する。画像形成装置１Ａは、筐体３と、給紙カセット５と、給紙ローラー７と、搬送ローラー９と、画像形成部１１と、定着部１３と、排紙ローラー１５と、排紙トレイ１７とを備える。
【００１４】
筐体３は、画像形成装置１Ａの構成要素（即ち給紙カセット５、給紙ローラー７、搬送ローラー９、画像形成部１１、定着部１３、排紙ローラー１５、及び、排紙トレイ１７）を収容する。筐体３の上部には、側面開放の胴内空間３ａが形成される。排紙トレイ１７は、胴内空間３ａに配置される。
【００１５】
給紙カセット５は、画像形成部１１に用紙Ｐを供給する。給紙カセット５は、筐体３の下部に収容されている。給紙ローラー７は、給紙カセット５に収容された複数の用紙Ｐを１枚ずつ繰り出す。搬送ローラー９は、給紙ローラー７によって繰り出された用紙Ｐを画像形成部１１に搬送する。
【００１６】
画像形成部１１は、給紙カセット５から供給された用紙Ｐに画像を形成する。画像形成部１１は、感光体ドラム３０（像担持体）と、帯電装置３１と、露光装置３２（光学系ユニット）と、現像装置３３と、転写ローラー３４と、クリーニング装置３５と、取付台３６とを備える。
【００１７】
感光体ドラム３０は、その表面に感光層を有する。帯電装置３１は、感光体ドラム３０の表面を所定電位に均一に帯電させる。露光装置３２は、帯電された感光体ドラム３０の表面にレーザー光を照射し、当該表面に画像データに対応する静電潜像を形成する。現像装置３３は、トナー（例えば黒色のトナー）を用いて感光体ドラム３０の表面の静電潜像をトナー像として現像する。
【００１８】
転写ローラー３４は、感光体ドラム３０の表面のトナー像を用紙Ｐに転写する。転写ローラー３４は、感光体ドラム３０との間で転写ニップ領域を形成する。転写ローラー３４には、転写電圧が印加されている。この結果、感光体ドラム３０の表面のトナー像が、用紙Ｐと共に、転写ニップ領域を通過すると、転写ローラー３４の静電引力によって、当該トナー像が用紙Ｐに転写される。クリーニング装置３５は、転写後の感光体ドラム３０の表面の残留トナーを除去する。
【００１９】
取付台３６は、露光装置３２を筐体３に固定する。取付台３６は、筐体３の所定位置に固定される。
【００２０】
定着部１３は、用紙Ｐに転写されたトナー像を定着させる。定着部１３は、加圧ローラー１３ａと定着ローラー１３ｂとを備える。定着ローラー１３ｂは、用紙Ｐを加熱する発熱源を有する。定着ローラー１３ｂは、加圧ローラー１３ａとの間で定着ニップ領域を形成する。用紙Ｐが定着ニップ領域を通過すると、定着ローラー１３ｂによる加熱によってトナー像が用紙Ｐに定着される。排紙ローラー１５は、トナー像が定着された用紙Ｐを排紙トレイ１７に排出する。
【００２１】
次に図２を参照して、露光装置３２の構成について説明する。図２は、露光装置３２の構成を示す透視平面図である。図２では、露光装置３２の筐体の天井面を透視して筐体の内部を図示している。
【００２２】
露光装置３２は、光源４０、コリメートレンズ４１、第１開口絞り４２、シリンドリカルレンズ４３、第２開口絞り４４、光偏向器４５、ｆθレンズ４６、及び、筐体４７を備える。
【００２３】
筐体４７は、露光装置３２の構成要素（即ち光源４０、コリメートレンズ４１、第１開口絞り４２、シリンドリカルレンズ４３、第２開口絞り４４、光偏向器４５、及び、ｆθレンズ４６）を収容する。筐体４７は、平面視略矩形の偏平な箱状である。筐体４７の前壁４７ｃには、レーザー光を射出する光射出開口４７ａが形成される。
【００２４】
光偏向器４５は、筐体４７の内部において、光射出開口４７ａとの間隔を空けて対向するように配置される。詳しくは、光偏向器４５は、筐体４７の内部の中央から後側にずれた位置に配置される。光源４０は、筐体４７の内部の端部に配置される。筐体４７の内部の当該端部は、筐体４７の内部において、光射出開口４７ａと光偏向器４５との対向方向に交差する方向の一側の端部（例えば右端部）である。光源４０と光偏向器４５との間に、コリメートレンズ４１、第１開口絞り４２、シリンドリカルレンズ４３及び第２開口絞り４４が、光源４０側からこの順に配置される。光偏向器４５と光射出開口４７ａとの間に、ｆθレンズ４６が配置される。
【００２５】
光源４０は、画像データに応じた強度のレーザー光Ｌを出力する。コリメートレンズ４１は、光源４０から出力されたレーザー光Ｌを平行光に変換する。第１開口絞り４２は、コリメートレンズ４１から出力された平行光のビームスポット径の大きさを制限する。シリンドリカルレンズ４３は、第１開口絞り４２から出力された平行光を、第２開口絞り４４を介して光偏向器４５の反射面に結像させる。第２開口絞り４４は、シリンドリカルレンズ４３から出力された平行光のビームスポット径の大きさを制限する。
【００２６】
光偏向器４５は、第２開口絞り４４から出力された平行光をｆθレンズ４６に向けて走査する。光偏向器４５は、回転多面鏡４５１と、駆動モーター４５３（電動機）とを備える。回転多面鏡４５１は、第２開口絞り４４から出力された平行光を、ｆθレンズ４６に向けて反射させる。回転多面鏡４５１は、平面視正多角形の板状であり、周面に多数の鏡（即ち反射面）を有する。回転多面鏡４５１は、回転可能に配置される。駆動モーター４５３は、回転多面鏡４５１を等角速度で回転させる。この結果、回転多面鏡４５１の反射面で反射された平行光は、ｆθレンズ４６に向けて等角度走査される。
【００２７】
ｆθレンズ４６は、回転多面鏡４５１によって等角度走査された平行光を屈折させる。この結果、その屈折された平行光は、感光体ドラム３０で等速走査される。ｆθレンズ４６で屈折された平行光は、光射出開口４７ａから外部に射出される。その射出された平行光は、感光体ドラム３０を所定の走査方向Ｑ２に沿って等速走査されながら感光体ドラム３０に照射される。なお、感光体ドラム３０の回転軸の軸線方向Ｑ１は、平行光の走査方向Ｑ２と平行である。
【００２８】
次に図３を参照して取付台３６について説明する。図３は、取付台３６の斜視図である。
【００２９】
取付台３６は、露光装置３２を筐体３に固定すると共に露光装置３２を冷却する。取付台３６は、例えば、金属製であり、板金によって形成される。図３に示すように、取付台３６は、例えば平面視矩形で浅底の皿状である。取付台３６は、底面５０と、周壁５１と、台部５２と、第１凹部５３と、第２凹部５４と、開口５５とを有する。
【００３０】
底面５０は、例えば矩形である。底面５０は、一対の長辺５０ａ，５０ｂと、一対の短辺５０ｃ，５０ｄとを有する。取付台３６の長手方向Ｈ１は、長辺５０ａ，５０ｂに沿った方向であり、取付台３６の短手方向Ｈ２は、短辺５０ｃ，５０ｄに沿った方向である。
【００３１】
周壁５１は、底面５０を囲むように底面５０の周囲に設けられる。台部５２は、露光装置３２を底面５０に対して傾斜させる。台部５２は、底面５０上に設けられている。台部５２は、載置面５２１と、複数（例えば４個）の突起部５２２とを有する。
【００３２】
載置面５２１は、台部５２の上面であって、露光装置３２が載置される面である。載置面５２１は、例えば略矩形である。載置面５２１は、周壁５１に囲まれている。載置面５２１は、短手方向Ｈ２に傾斜している。詳しくは、載置面５２１は、底面５０の長辺５０ａ側から長辺５０ｂ側に向かって下っている。この傾斜によって、露光装置３２から出力されたレーザー光が感光体ドラム３０に適切に照射される。載置面５２１の長手方向は、長手方向Ｈ１に一致する。載置面５２１の短手方向Ｈ３は、短手方向Ｈ２に対して傾斜している。載置面５２１は、一対の長辺５２１ｃ，５２１ｄを有する。一対の長辺５２１ｃ，５２１ｄは、載置面５２１の長手方向Ｈ１に沿った辺である。長辺５２１ｃは、底面５０の長辺５０ａ側に在る長辺であり、長辺５２１ｄは、底面５０の長辺５０ｂ側に在る長辺である。
【００３３】
第１凹部５３及び第２凹部５４はそれぞれ、載置面５２１において、露光装置３２を冷却する冷却風を流す風路を構成する。第１凹部５３及び第２凹部５４は、互いに異なる方向に沿って延設され、互いに交差する。
【００３４】
詳しくは、第１凹部５３は、載置面５２１における短手方向Ｈ３の略中央に配置されると共に、載置面５２１の長手方向Ｈ１（第１方向）に沿って延設される。第１凹部５３は、長手方向Ｈ１に沿って、底面５０の一方の短辺５０ｃ付近から他方の短辺５０ｄ付近まで延設される。第１凹部５３における長手方向Ｈ１の両端部５３ｂは、台部５２における長手方向Ｈ１の両側面５２ｃで開放される。
【００３５】
第２凹部５４は、載置面５２１における長手方向Ｈ１の略中央に配置されると共に、載置面５２１の短手方向Ｈ３（第２方向）に沿って延設される。第２凹部５４における延設方向（即ち短手方向Ｈ３）の一端部５４ｂは、台部５２の側面５２ａで開放される。換言すれば、側面５２ａには通風口５２ｂが形成されており、一端部５４ｂは、通風口５２ｂに連通される。側面５２ａは、台部５２において底面５０の長辺５０ａ側に在る側面である。第２凹部５４における延設方向の他端部５４ｃは、第１凹部５３に連通される。即ち、第２凹部５４は、第１凹部５３と交差する。
【００３６】
突起部５２２は、露光装置３２を支持する支点である。突起部５２２は、例えば偏平な円柱状である。４個の突起部５２２のうち、２個の突起部５２２ａの各々は、載置面５２１の２個の領域５２１ａの各々に設けられる。残りの２個の突起部５２２ｂは、載置面５２１の領域５２１ｂに設けられる。２個の突起部５２２ｂは、長手方向Ｈ１に沿って互いに間隔を空けて配置される。２個の領域５２１ａは、載置面５２１のうち、第１凹部５３における短手方向Ｈ３の一側（即ち長辺５２１ｃ側）であって、第２凹部５４における長手方向Ｈ１の両側の領域である。領域５２１ｂは、載置面５２１のうち、第１凹部５３における短手方向Ｈ３の他側（即ち長辺５２１ｄ側）の領域である。
【００３７】
開口５５は、露光装置３２から出力されたレーザー光が通過すると共に、第２凹部５４を流れる冷却風が通過する。開口５５は、周壁５１の壁部５１ａに設けられる。開口５５は、壁部５１ａの外側と内側とを連通する。壁部５１ａは、周壁５１のうち、底面５０の長辺５０ｂ側に在る壁部である。
【００３８】
図４を参照して、取付台３６について詳しく説明する。図４は、図３のIII-III線に沿った断面図である。図４に示すように、台部５２は、底面５０上に設けられている。載置面５２１は、短手方向Ｈ３に傾斜している。載置面５２１の長辺５２１ｃは、底面５０よりも高い位置にある。また、載置面５２１の長辺５２１ｄは、例えば、底面５０と同じ高さにある。
【００３９】
第１凹部５３の底面５３ａは、底面５０よりも低い位置にある。第２凹部５４の底面５４ａは、底面５０よりも高い位置にある。従って、第２凹部５４の底面５４ａは、第１凹部５３の底面５３ａよりも高い位置にある。従って、第１凹部５３が構成する風路と、第２凹部５４が構成する風路とは、立体交差する。即ち、交差部分Ｔにおいて、第１凹部５３が構成する風路は、第２凹部５４が構成する風路の下側を通過する。この結果、第１凹部５３を流れる風と、第２凹部５４を流れる風とが、交差部分Ｔで、互いに衝突することが抑制される。
【００４０】
次に図５を参照して、露光装置３２が取り付けられた取付台３６について説明する。図５は、露光装置３２が取り付けられた取付台３６を示す斜視図である。
【００４１】
露光装置３２は、４個の突起部５２２に跨るように、取付台３６の載置面５２１に載置される。露光装置３２の光射出開口４７ａは、短手方向Ｈ３に沿って斜め下側に向けられ、開口５５と対向する。また、第２凹部５４は、露光装置３２の駆動モーター４５３の下側を通過する。また、第１凹部５３は、露光装置３２の下側を通過する。第１凹部５３の開放上面５３１における長手方向Ｈ１の両端部は、露光装置３２における長手方向Ｈ１の両側から露出され、第１凹部５３の通風口５３１ａ，５３１ｂとして機能する。露光装置３２は、図示省略の締結部品（ビス等）によって取付台３６に締結される。そして、取付台３６は、筐体３内の所定位置に固定される。
【００４２】
画像形成装置１Ａは、２個の送風器１９，２０を更に備える。送風器１９は、取付台３６の第１凹部５３に冷却風Ｆ１を供給する。送風器２０は、取付台３６の第２凹部５４に冷却風Ｆ２を供給する。冷却風Ｆ１及び冷却風Ｆ２がそれぞれ第１凹部５３及び第２凹部５４を流れることで、露光装置３２が冷却される。即ち、取付台３６に２方向から冷却風Ｆ１及び冷却風Ｆ２が流される。従って、一方向から冷却風が流される場合と比べて、露光装置３２を冷却する冷却効果が高くなる。
【００４３】
次に図５及び図６を参照して、取付台３６を流れる冷却風Ｆ１及び冷却風Ｆ２の流れについて説明する。図６は、図５のVI-VI線に沿った断面図である。
【００４４】
図５に示すように、冷却風Ｆ１は、通風口５３１ａから第１凹部５３に流入する。そして、冷却風Ｆ１は、第１凹部５３の内部を長手方向Ｈ１に沿って流れ、露光装置３２の下側を通過する。この通過の際、冷却風Ｆ１は、露光装置３２を冷却する。そして、冷却風Ｆ１は、通風口５３１ｂから第１凹部５３の外部に流出し、更に取付台３６の外部に流出する。
【００４５】
図６に示すように、冷却風Ｆ２は、通風口５２ｂから第２凹部５４に流入する。そして、冷却風Ｆ２は、第２凹部５４の内部を短手方向Ｈ３に沿って流れて、露光装置３２の駆動モーター４５３の下側を通過する。そして、冷却風Ｆ２は、更に短手方向Ｈ３に沿って流れて、第１凹部５３を横切って隙間Ｇ１を流れる。隙間Ｇ１は、載置面５２１の領域５２１ｂと露光装置３２の下面４７ｄとの間の隙間である。隙間Ｇ１は、領域５２１ｂに設けられた突起部５２２ｂによって確保される。そして、冷却風Ｆ２は、更に短手方向Ｈ３に沿って流れて隙間Ｇ１から流出して、取付台３６の開口５５から取付台３６の外部に流出する。冷却風Ｆ２は、露光装置３２を冷却する。特に、冷却風Ｆ２は、駆動モーター４５３の下側を流れるため、駆動モーター４５３を効果的に冷却する。
【００４６】
なお、本実施形態では、第２凹部５４が駆動モーター４５３の下側を通るが、第１凹部５３が駆動モーター４５３の下側を通ってもよい。
【００４７】
また、本実施形態では、第２凹部５４の底面５４ａが第１凹部５３の底面５３ａよりも高い位置にあるが、第１凹部５３の底面５３ａが第２凹部５４の底面５４ａよりも高い位置にあってもよい。
【００４８】
＜第２実施形態＞
本実施形態に係る画像形成装置は、第１実施形態の冷却風Ｆ２の流れを改善する。以下、図７及び図８を参照して、本実施形態に係る画像形成装置について説明する。図７は、本実施形態において露光装置３２と取付台３６との間の隙間を通風口５２ｂ側（即ち露光装置３２の後側）から示した側面図である。図８は、本実施形態の取付台３６の斜視図である。なお、図７及び図８において、第１実施形態と同じ構成要素には同じ符号を付して説明を省略する。
【００４９】
図７に示すように、本実施形態に係る画像形成装置１Ｂは、第１実施形態に係る画像形成装置１Ａの構成に加えて、更に、シール材２２を備える。シール材２２は、隙間Ｇ２に挟まれて隙間Ｇ２を塞ぐ。隙間Ｇ２は、露光装置３２の下面４７ｄと載置面５２１の領域５２１ａとの間の隙間である。
【００５０】
図８に示すように、シール材２２は、例えば、両方の領域５２１ａの各々の全体を被覆する。図８では、シール材２２は、斜線で図示される。シール材２２は、例えば、領域５２１ａに貼り付けられている。シール材２２は、シート状である。シール材２２は、例えば、低反発性及び熱伝導性を有する物質（例えばシリコーンゴム）によって形成される。シール材２２が低反発性を有することで、シール材２２が隙間Ｇ２に挟まれても、露光装置３２の傾斜には殆ど影響が無い。シール材２２が熱伝導性を有することで、露光装置３２から発生する熱が取付台３６に伝達し易くなり、露光装置３２の冷却効果が高まる。
【００５１】
このように、隙間Ｇ２がシール材２２によって塞がれることで、冷却風Ｆ２が通風口５２ｂから第２凹部５４に流入する際に、冷却風Ｆ２の一部が、第２凹部５４の両側の隙間Ｇ２に流れることが抑制される。即ち、駆動モーター４５３の下側を流れる冷却風Ｆ２の流量が減少することが抑制される。この結果、冷却風Ｆ２によって駆動モーター４５３を冷却する冷却効果を高めることができる。また、本実施形態は、隙間Ｇ２にシール材２２を挟む構成であるため、構成が容易である。
【００５２】
＜第３実施形態＞
本実施形態に係る画像形成装置は、第１実施形態の冷却風Ｆ２の流れを改善する。以下、図９及び図１０を参照して、本実施形態に係る画像形成装置について説明する。図９は、本実施形態において露光装置３２と取付台３６との間の隙間Ｇ２を長手方向Ｈ１から示す断面図である。図１０は、露光装置３２が取付台３６に取り付けられていないときのシート材を示す断面図である。なお、図９及び図１０において、第１実施形態と同じ構成要素には同じ符号を付して説明を省略する。
【００５３】
図９に示すように、本実施形態の露光装置３２Ｃは、第１実施形態の露光装置３２の構成に加えて、更に、枠壁７１と、複数のリブ壁７２と、複数（例えば２個）の挟み板７３と、シート材７４とを備える。
【００５４】
枠壁７１は、露光装置３２Ｃの筐体４７の下面４７ｄの周縁において、下側に向けて立設される。
【００５５】
複数のリブ壁７２は、筐体４７の下面４７ｄにおいて、下側に向けて立設される。複数のリブ壁７２は、下面４７ｄの前後方向（即ち短手方向Ｈ３）に沿って互いに間隔を空けて並列に配置される。また、複数のリブ壁７２は、下面４７ｄの左右方向（即ち長手方向Ｈ１）に沿って延設される。リブ壁７２における延設方向の両端は、例えば枠壁７１と連結される。リブ壁７２の下端面７２ａは、例えば、枠壁７１の下端面７１ａと同じ高さである。
【００５６】
挟み板７３は、シート材７４をリブ壁７２に固定する。挟み板７３は、筐体４７の下面４７ｄにおいて下側に向けて立設される。挟み板７３の下端面７３ａは、例えば、リブ壁７２の下端面７２ａよりも高い位置にある。２個の挟み板７３は、所定の一対のリブ壁７２Ａ，７２Ｂの各々の対向側面７２Ａｂ，７２Ｂｂに隣接して立設される。一対のリブ壁７２Ａ，７２Ｂは、複数のリブ壁７２のうちの隣合う２つのリブ壁である。なお、枠壁７１は、リブ壁７２としても機能する。従って、複数のリブ壁７２には枠壁７１も含まれる。一対のリブ壁７２Ａ，７２Ｂは、載置面５２１の領域５２１ａの上側に配置する。対向側面７２Ａｂと対向側面７２Ｂｂは、互いに対向する。
【００５７】
シート材７４は、露光装置３２Ｃと取付台３６との間の隙間Ｇ２を塞ぐ。シート材７４は、例えば平面視矩形のフィルム状であり、可撓性を有する。シート材７４は、弾性を有する材質により形成される。シート材７４の厚みは、例えば０．１５ｍｍ〜０．３ｍｍである。シート材７４として、例えばルミラー（登録商標）が使用可能である。
【００５８】
シート材７４の両端部７４ａ，７４ｂは、一対のリブ壁７２Ａ，７２Ｂの対向側面７２Ａｂ，７２Ｂｂに固定される。詳しくは、シート材７４の一端部７４ａは、リブ壁７２Ａと挟み板７３Ａとに挟まれることで、対向側面７２Ａｂに固定される。シート材７４の他端部７４ｂは、リブ壁７２Ｂと挟み板７３Ｂとに挟まれることで、対向側面７２Ｂｂに固定される。
【００５９】
なお、本実施形態では、シート材７４の一端部７４ａは、リブ壁７２Ａと挟み板７３Ａとに挟まれることで、対向側面７２Ａｂに固定されるが、このように限定されない。例えば、シート材７４の一端部７４ａは、対向側面７２Ａｂに接着されることで、対向側面７２Ａｂに固定されてもよい。この場合は、挟み板７３Ａは省略される。同様に、シート材７４の他端部７４ｂについても、他端部７４ｂは、対向側面７２Ｂｂに接着されることで、対向側面７２Ｂｂに固定されてもよい。
【００６０】
シート材７４の中央部７４ｃは、垂れ下がって載置面５２１の領域５２１ａに接触する。中央部７４ｃが領域５２１ａに接触することで、隙間Ｇ２が短手方向Ｈ３に関して塞がれる。従って、冷却風Ｆ２が通風口５２ｂから第２凹部５４に流入する際に、冷却風Ｆ２の一部が、通風口５２ｂの両側の隙間Ｇ２を流れることが抑制される。この結果、冷却風Ｆ２による駆動モーター４５３を冷却する冷却効果を高めることができる。また、本実施形態は、シート材７４の弾性を利用して隙間Ｇ２を防ぐため、構成が容易である。
【００６１】
図１０に示すように、露光装置３２Ｃが取付台３６に取り付けられていないときは、シート材７４の中央部７４ｃは、リブ壁７２の下端面７２ａよりも下側に垂れ下がる。従って、露光装置３２Ｃが取付台３６に取り付けられたときは（図９参照）、中央部７４ｃは、シート材７４の弾性力によって領域５２１ａに強く押し付けられる。この結果、隙間Ｇ２は、冷却風Ｆ２の風圧に対して確実に閉塞される。
【００６２】
以上、図面（図１〜図１０）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００６３】
１Ａ，１Ｂ，１Ｃ    画像形成装置
２２    シール材
３０    感光体ドラム
３２    露光装置
３６    取付台
４０    光源
５３    第１凹部
５４    第２凹部
５３ａ    第１凹部の底面
５４ａ    第２凹部の底面
５４    第２凹部
７２，７２Ａ，７２Ｂ    リブ壁
７４ａ，７４ｂ    シート材の両端部
７４ｃ    シート材の中央部
４５１    回転多面鏡
４５３    電動機
５２１    載置面
Ｈ１    長手方向
Ｈ３    短手方向
Ｌ    光
【図１】
2017009695.tif 000003
【図２】
2017009695.tif 000004
【図３】
2017009695.tif 000005
【図４】
2017009695.tif 000006
【図５】
2017009695.tif 000007
【図６】
2017009695.tif 000008
【図７】
2017009695.tif 000009
【図８】
2017009695.tif 000010
【図９】
2017009695.tif 000011
【図１０】
2017009695.tif 000012